(57)【要約】【課題】体積を小さくすると同時に消耗電量を少なくして更なる実用化を図るべく、ナイトライトにおけるコントロール回路の構造を提供する。【解決手段】色の異なる発光ダイオードD１，D２，D３を採用し、コントロール回路には電源供給回路１０、音声感知回路２０、メインコントロール回路２１、ライト回路３０を設けることにより、体積の小さい回路板をボックス１内に組み込む、或いはマット２に組み込むと同時に、音声により該発光ダイオードD１，D２，D３を点灯／消灯を制御する。【選択図】        図１
0003103461.tif 000002
【実用新案登録請求の範囲】
【請求項１】
電源供給回路と、音声感知回路と、メインコントロール回路と、ライト回路と、より構成されるコントロール回路において、
一般の電池と太陽電池とを具有し、該一般の電池の回路にはスイッチを設けて電源の供給と非供給状態を制御し、且つ一般の電池は太陽電池から充電されて電源を供給する該電源供給回路と、
音声ピックアップ，二つのトランジスタを具有し、該音声ピックアップが音声を感知して該トランジスタを導電させる該音声感知回路と、
該音声感知回路と連結される中央処理機を具有し、該音声感知回路及びトランジスタの導電，非導電シグナルを受け、導電状態では該ライト回路の発光ダイオードを点灯させるが、異なる色の発光ダイオードを順に点滅させるべく設定した場合には、その他の色の発光ダイオードを点滅させない該メインコントロール回路と、
数個の異なる色の発光ダイオードを具有し、該メインコントロール回路の中央処理機と連結される該ライト回路と、
を具有し、体積が小さく且つ消耗電量の少ない、異なる色の発光ダイオードによるナイトライトを提供することを特徴とするナイトライトにおけるコントロール回路の構造。
【請求項２】
該電源供給回路には交流電源に挿し込んで使用できるよう、交流電流を直流電流に変える整流器を設けることを特徴とする請求項１記載のナイトライトにおけるコントロール回路の構造。
【考案の詳細な説明】
【技術分野】
【０００１】
本考案はナイトライトのコントロール回路の構造に係り、特に夜間にける屋外及び屋内の使用に適した体積が小さく消耗電量の少ないナイトライトにおけるコントロール回路の構造に関わる。
【背景技術】
【０００２】
公知におけるナイトライトとは、ボックス中にタングステン線を用いた電球が組み込まれており、電源スイッチとプラグが設けられていることにより、室内の電源供給コンセントに差し込み、スイッチを押すことにより導電及び非導電状態を制御して点灯と消灯のスイッチを行い、暗い室内に小さな灯りを提供するものとして利用されている。
【考案の開示】
【考案が解決しようとする課題】
【０００３】
上述のような公知におけるナイトライトの欠点として、先ずタングステン線タイプの電球は体積と消耗電量が大きく、また交流電流にのみ適応し、電池により電源を供給するのに不向きであり、且つ一箇所に固定して使用する際のみ適していることである。また、指で押すことによって点灯／消灯のスイッチを行わなければならず、暗い個所でのスイッチは特に行いにくい、或いは電球の色の変化に乏しい、更には体積が大きく使用範囲が限られること、などが挙げられる。
そこで体積を小さくすると同時に消耗電量を少なくして更なる実用化を図るべく、本考案のナイトライトにおけるコントロール回路の構造を提供する。
【課題を解決するための手段】
【０００４】
色の異なる発光ダイオードを採用し、コントロール回路には電源供給回路、音声感知回路、メインコントロール回路、ライト回路を設けることにより、体積の小さい回路板をボックス内に組み込む、或いはマットに組み込むと同時に、音声により該発光ダイオードを点灯／消灯を制御する。
【考案の効果】
【０００５】
本考案によると、発光ダイオードを用いて小さな体積と少ない消耗電量を実現させたことにより、電源提供を電池で賄うのに適した設置個所の制限を受けないナイトライトを提供することに成功した。
【考案を実施するための最良の形態】
【０００６】
図１，２に示すように、本考案には電源供給回路１０，音声感知回路２０，メインコントロール回路２１，ライト回路３０より構成される。
該電源供給回路１０には一般の電池V１及び太陽電池V２を含み、該一般の電池V1の回路にはスイッチK1が設けられ、音響ピックアップBZが音声を感知してトランジスタQ１，Q２を導電状態にする。
該ライト回路３０には所望の数量の異なる色の発光ダイオードD１，D２，D３が設けられ、且つこれらは該メインコントロール回路２１の中央処理機CPUに連結される。
該メインコントロール回路２１に設けられた該中央処理機CPUは該音声感知回路２０にまで連結され、該音声感知回路２０のトランジスタQ1，Q２と導電或いは非導電のシグナルを受け、導電状態にあるときは該ライト回路３０の発光ダイオードD１，D２，D３が点灯するが、但し各発光ダイオードが一つずつ順番に点灯するよう設定した場合には、残りの発光ダイオードは点灯しないものとする。
【０００７】
該発光ダイオードD１，D２，D３は消耗電量が少なく且つ体積が小さいことより、全体が小さな回路板となり、電池により電源を供給するのに相応しく、且つ小さなボックス内に収めることができ、（図４参照）狭いスペースや電源を提供するコンセントのない個所に設置するのにも適する。例えば図５に示すようなマット２に設置し、玄関口で足元を照らす灯りが提供できる。
また一般の電池V１以外にも、太陽電池V２を利用することで省エネの目的を達成することができる。
更に導電及び非導電状態を制御することにおいては、音声感知回路２０を設けたことにより、発光ダイオードを点灯させようとする際、やや大きな音（例えば手をたたくなど）を発し、音声ピックアップBZにより音声を感知し、本体の抵抗値を変えることでバイアス作用を提供し、該トランジスタQ１，Q２を導電する。消灯しようとする際には、もう一度やや大きな音を提供することにより、該音声ピックアップBZに再度抵抗値の変化を与え、該トランジスタにより回路を断つ。
上述のように、自動で音を感知することにより、該コントロール回路２１の中央処理機CPUを通じて上述のトランジスタQ１，Q２が導電及び非導電状態になり、該ライト回路３０の発光ダイオードD１，D２，D３の点灯及び非点灯状態が決まる。
また該メインコントロール回路２１の中央処理機CPUは、それぞれ該発光ダイオードD１，D２，D３と連結されており、且つ該発光ダイオードは色が赤色（R），緑色（G），青色（B）などに分けられている、或いは黄色，白色，赤色などに分けられており、中央処理機CPUで「三色同時に点灯」、もしくは「一色が点灯する間はその他の色のダイオードが点灯せず、異なる色のダイオードが順に点灯する」などに設定し、提供する灯りの色が使用者によって選択できるようにすると同時に、発光ダイオードの特性である消耗電量の少なさと湿気に強いことから、電池を使用する室外での使用にも適しており、路上での標示や方向指示の目的としても使用できる。
更に図３に示すように、該電源供給回路１１に更に整流器１１０を設けた場合、交流電流が整流を経て直流電流に変えられ、こうすることで一般の交流電源に挿し込んで使用することもできるようになる。
【図面の簡単な説明】
【０００８】
【図１】本考案全体におけるコントロール回路を示す図である。
【図２】本考案の電源供給回路が交流電流を供給する際におけるコントロール回路を示す図である。
【図３】本考案におけるコントロールのブロックチャートである。
【図４】本考案の実施例であり、ボックスと組み合わせた様子を示す図である。
【図５】本考案の実施例であり、マットと組み合わせた様子を示す図である。
【符号の説明】
【０００９】
１  ボックス
２  マット
１０  電源供給回路
２０  音声感知回路
K1  スイッチ
２１  メインコントロール回路
３０  ライト回路
V１  一般の電池
V２  太陽電器
１１０  整流器
CPU  中央処理機
BZ  音響ピックアップ
Q1，Q２  トランジスタ
D１，D２，D３  LED（発光ダイオード）
【図１】
0003103461.tif 000003
【図２】
0003103461.tif 000004
【図３】
0003103461.tif 000005
【図４】
0003103461.tif 000006
【図５】
0003103461.tif 000007